(57)【要約】【課題】  横長でコンパクトな構造で風力に応じた風量の調整を図ることができる耐風水圧性の高い簡単構造の換気ユニットを提供する。【解決手段】エアフローチャンバー３内を出入口に沿って平行移動して出口開口部５を閉鎖する構造であり、風力に応じて流量調整可動パネル１０が移動し、設定以上の風力により出口開口部５が閉鎖されるが、風力が小になると戻しレバー１８により出口開口部５が開放され、また強風の場合には略Ｌ型クランク１９が回動して流量調整可動パネル１０を出口開口部５に押し付けて閉鎖ロックすることができる換気ユニット。【選択図】  図２
2011094866.tif 000002
【特許請求の範囲】
【請求項１】
建物内外を連通する連通孔に、建物内部に設けられた横長のエアフローチャンバーが連結され、このエアフローチャンバーの入口開口部と対面する側に出口開口部が設けられ、このエアフローチャンバー内で、エアフローチャンバーの長手方向に対し直角の方向の両端側にはそれぞれレールが設けられ、この両端のレール上を片側複数のローラーが設けられた流量調整用可動パネルが移動可能に設けられ、この流量調整用可動パネルは外部からの風圧により、所定以上の風圧が加わるとその風圧に応じた距離まで、このレール上を出口開口部側へ移動可能に構成され、この流量調整用可動パネルがエアフローチャンバー出口開口部に当接する時、密閉可能なように前記流量調整用可動パネルの出口開口部の当接部あるいは前記エアフローチャンバー出口開口部の可動パネル当接部のいずれかに密閉部材が設けられ風圧が設定以上になると、前記流量調整用可動パネルは最大移動して前記エアフローチャンバー出口開口部が密閉されるように構成され、風圧が低下してくると前記流量調整用可動パネルは前記エアフローチャンバー出口開口部から所定距離れた位置まで戻るための出口開放手段が設けられ、また、前記流量調整用可動パネルには強制的な操作により前記エアフローチャンバー出口開口部密閉位置まで強制移動させてロックする強制移動ロック手段が設けられてなることを特徴とする定風量換気ユニット。
【請求項２】
建物内外に条件設定可能な検知用センサが設けられ、この検知用センサにより前記強制移動ロック手段のロックおよびロック解除の操作が自動で行なわれることを特徴とする請求項１記載の定風量換気ユニット。
【発明の詳細な説明】
【技術分野】
【０００１】
本発明は、集合住宅やオフィスビル等の建物に設けられて開口部に開閉機構を有する自然換気装置の換気ユニットに関する。
【背景技術】
【０００２】
換気方法として従来から行われている最も単純な方法は無目を利用して室内を換気する装置（特許文献１参照）などが提供されてきている。
【先行技術文献】
【特許文献】
【０００３】
【特許文献２】実開昭５９−２８０７号公報
【発明の概要】
【発明が解決しようとする課題】
【０００４】
しかしながら単に外部空気を室内に送り込むだけの自然換気機構では強風の際には風圧によって雨水止め用のパッキンを越えて雨が吹き込んでくるという問題があり、またすべてが手動式で自動化が出来ないという問題があった。本発明は掛かる不都合を解決することを目的として提供されたものである。
【課題を解決するための手段】
【０００５】
本発明はかかる不都合を建物内に設けた横長のエアフローチャンバー内の外気連通ダクト入口部に風圧に応じて調整される開閉機構を設けた換気ユニットを設置することによりこれらの問題を解決した。すなわち本発明は一つには建物内外を連通する連通孔に、建物内部に設けられた横長のエアフローチャンバーが連結され、このエアフローチャンバーの入口開口部と対面する側に出口開口部が設けられ、このエアフローチャンバー内で、エアフローチャンバーの長手方向に対し直角の方向の両端側にはそれぞれレールが設けられ、この両端のレール上を片側複数のローラーが設けられた流量調整用可動パネルが移動可能に設けられ、この流量調整用可動パネルは外部からの風圧により、所定以上の風圧が加わるとその風圧に応じた距離まで、このレール上を出口開口部側へ移動可能に構成され、この流量調整用可動パネルがエアフローチャンバー出口開口部に当接する時、密閉可能なように前記流量調整用可動パネルの出口開口部の当接部あるいは前記エアフローチャンバー出口開口部の可動パネル当接部のいずれかに密閉部材が設けられ風圧が設定以上になると、前記流量調整用可動パネルは最大移動して前記エアフローチャンバー出口開口部が密閉されるように構成され、風圧が低下してくると前記流量調整用可動パネルは前記エアフローチャンバー出口開口部から所定距離れた位置まで戻るための出口開放手段が設けられ、また、前記流量調整用可動パネルには強制的な操作により前記エアフローチャンバー出口開口部密閉位置まで強制移動させてロックする強制移動ロック手段が設けられてなることを特徴とする定風量換気ユニットである。
【０００６】
また一つは建物内外に条件設定可能な検知用センサが設けられ、この検知用センサにより前記強制移動ロック手段のロックおよびロック解除の操作が自動で行なわれることを特徴とする定風量換気ユニットである。
【０００７】
可動パネルの強制閉鎖装置はラック・ピニオンによるもの、ボルト・ナットのようにネジ形状によるもの、ピストンによるもの、リンク装置によるものなど閉鎖機構は種々考えられるがそのいずれであってもよく、その場所にあった適するものを選択すればよい。
【発明の効果】
【０００８】
本発明の換気ユニットは建物外部と内部に通じる連通孔に連結され、可動パネルを用いて外部からの風圧により可動パネルを平行移動可能にしてエアフローチャンバーの出口開口部からの風量を調整する構成であり、設定最大圧でエアフローチャンバーの出口開口部が全閉され、風圧が下がると機械的に出口開口部が自動開放されるため室内を適度な環境に保つことが出来るという効果があり、さらに設定風圧以上になれば強制閉鎖ロック装置をはたらかせて、強制的に出口開口部を閉塞、更にロックして水密気密性を保つことが出来るという効果があり、更には検知センサを設けることにより全自動的に管理が可能であるという効果がある。
【図面の簡単な説明】
【０００９】
【図１】本発明実施例１の建物および室内における取り付け状況を示す断面概略説明図
【図２】図１から本発明実施例１のみを取り出したメインの構造断面説明図
【図３】流量調整用可動パネルの取り付け構造を示す斜視図
【図４】換気ユニット内部構造を示す斜視図
【図５】換気ユニット内部構造を示す平面図
【図６】換気ユニット内部構造を示す正面図
【図７】換気ユニット内部構造を示す斜視図
【発明を実施するための形態】
【実施例１】
【００１０】
実施例１は図１に示すような建物との関係位置で設置されているものであり、本発明の実施例１は図２に示すものである。まず、実施例１の構成を図に基づいて説明すると、建物内外を連通する連通孔２に、建物内部に設けられた横長のエアフローチャンバー３の入口開口部４が連結され、このエアフローチャンバー３の入口開口部４と対面する側に出口開口部５が設けられ、このエアフローチャンバー３内で、エアフローチャンバー３の長手方向に対し直角の方向の両端側にはそれぞれ略Ｃ字型のレール６、６が設けられ、この両端のレール６、６内を片側に複数のローラー７が設けられたＴ型フレーム８が設けられ、この両Ｔ型フレーム８、８に矩形パネル９が取り付けされ、全体で図３に示されるような移動可能な流量調整可動パネル１０として形成され、この流量調整可動パネル１０は外部からの風圧により、所定以上の風圧が加わるとその風圧に応じた距離まで、このレール６、６上をエアフローチャンバー３の出口部５側へ移動可能に構成されている。
【００１１】
そしてこの流量調整可動パネル１０がエアフローチャンバー３の出口開口部５に当接する時、密閉可能なように流量調整可動パネル１０の出口開口当接部あるいはエアフローチャンバー出口開口部５の流量調整可動パネル１０当接部のいずれかに密閉部材１１が設けられ、風圧が設定以上になると流量調整可動パネル１０は最大移動してエアフローチャンバー出口開口部５が密閉されるように構成され、風圧が無くなると、この流量調整可動パネル１０をエアフローチャンバー出口開口部５から所定距離れた位置まで戻すための出口開放装置１２が設けられ、また、更に流量調整可動パネル１０の背後（入口開口部側）には強制的な操作により流量調整可動パネル１０をエアフローチャンバー出口開口部密閉位置まで強制移動させてロックする強制移動ロック装置１３が設けられている定風量換気ユニット１である。
【００１２】
次に出口開放装置１２の構成について説明すると、出口開放装置１２は流量調整用可動パネル１０の正面上部に当接板１４が設けられ、一方、エアフローチャンバー３の天面からおろした取り付けブラケット１５ａには先端に回転ローラー１６ａを有し、引張コイルバネ１７によって元位置に回動して戻されるように構成された戻しレバー１８が設けられてなるものである。
【００１３】
次に強制移動ロック装置１３の構成について説明すると、この強制移動ロック装置１３は図４〜図６に示すように、同じくエアフローチャンバー３の天面からおろした２個の取り付けブラケット１５ｂのそれぞれに、略Ｌ型クランク１９が互いに同方向で回動自在に設けられ、略Ｌ型クランク１９の長竿側先端部には回転ローラー１６ｂが設けられ、略Ｌ型クランク１９の短竿側先端部同士は長いメインロッド２０で回動自在に連結され、このメインロッド２０の端部はエアフローチャンバー３の外部から軸受であるフランジ２１を通して内部へ貫通された駆動用ロッド２２とサブロッド２３を介してそれぞれが自在に動くように連結され、また、駆動用ロッド２２の換気ユニット１の外部にある他端部には突出ピン２４が設けられてこの突出ピン２４に長穴を有する駆動アーム２５が駆動モータ２６によって移動操作が行なわれるように構成されたものである。
【００１４】
次にこの換気ユニット１全体の動作について説明すると、通常、流量調整可動パネル１０は矩形パネル９が略Ｌ型クランク１９の長竿側先端部に設けられた回転ローラー１６ｂ（図５のＤ位置）とエアフローチャンバー３の出口開口部５との間のいずれかの位置にいて外気からの風圧によりその位置を移動する。外気からの風圧の大きさにより次第に出口開口部５に近づくが矩形パネル９正面上部に設けられた当接板１４に規制された戻しレバー１８が当接すると、今度は、この引張コイルバネ１７のスプリング力を伸ばしてゆく以上の風圧が流量調整可動パネル１０に掛かることにより初めて更にエアフローチャンバー３の出口開口部５に近づく、そして設定された最大値以上の風圧が掛かることにより流量調整可動パネル１０がエアフローチャンバー３の出口開口部５に当接して密閉される。しかしながら、外部からの風圧が弱くなると戻しレバー１８に設けられた引張コイルバネ１７のスプリング力により流量調整可動パネル１０はその影響力がない位置までエアフローチャンバー３の出口開口部５から離されることになる。あとはその繰り返し動作を行なうことになる。
【００１５】
次に外部が嵐の状態と判断された時は強制移動ロック装置１３の操作が行なわれる。この強制移動ロック装置１３の操作スイッチ（図示せず）が入ると、図５において駆動モータ２６が回転し始め、当初Ｋ位置にいた駆動アーム２５が次第にＪ位置、Ｈ位置へと移動してゆき、それにともなって突出ピン２４により駆動用ロッド２２が動き、順次サブロッド２３、メインロッド２０、略Ｌ型クランク１９と伝わって、略Ｌ型クランク１９の短竿側はＣ位置からＢ位置を経由してＡ位置へと移動し、長竿側に設けられた回転ローラ−１６ｂがＤ位置から回動し始めて流量調整可動パネル１０の矩形パネル９に一旦当接し、更に回動しながら流量調整可動パネル１０を出口開口部へと向かわせる。そして駆動アーム２５がＨ位置に達した時略Ｌ型クランク１９の長竿側はＥ位置に達し、流量調整可動パネル１０の矩形パネル９に対し、直角方向になって流量調整可動パネル１０は閉鎖ロックされる事になる。ロック解除して元通りにするには強制移動ロック装置１３の操作スイッチ（図示せず）の解除ボタンを押すことにより、前述した動作の反対の動作がおこなわれて元に戻ることになる。
【００１６】
この実施例１においては駆動モータ２８をエアフローチャンバー３の側面フレーム側から出てきた駆動用ロッドに連結させたが、図７に示すようにエアフローチャンバー３の上面にスペースがある場合には駆動モータ２８を天面側から降ろして直接メインロッド２０を操作しても良い。動作においては前述したものとほぼ同様になるため説明を省略する。
【実施例２】
【００１７】
これば建物の外部に雨量センサとか風速センサを設け、このセンサの動作条件をあらかじめ設定して制御盤（図示せず）内に入力することによって設定以上の雨量とか設定以上のの風速を検知した場合に強制移動ロック装置１３が自動的に動作し、所定時間経過しても設定以上の雨量とか設定以上のの風速が検知されなかった場合には強制移動ロック装置１３が自動的に閉鎖解除動作をを行なって換気ユニット１全体が人の手を借りずに全自動的に管理させてなるものである。もちろん例えば停電時のように必要な場合には人の手による操作も可能なように切り替えスイッチ（図示せず）も設けられてなる。その他の構成および動作は前述したものと同様であるため説明を省略する。
【符号の説明】
【００１８】
１、換気ユニット
２、連通孔
３、エアフローチャンバー
４、入口開口部
５、出口開口部
６、レール
７、ローラー
８、Ｔ型フレーム
９、矩形パネル
１０、流量調整可動パネル
１１、密閉部材
１２、出口開放装置
１３、強制移動ロック装置
１４、当接板
１５、取り付けブラケット
１６、回転ローラー
１７、引張コイルバネ
１８、戻しレバー
１９、略Ｌ型クランク
２０、メインロッド
２１、フランジ
２２、駆動用ロッド
２３、サブロッド
２４、突出ピン
２５、駆動アーム
２６、駆動モータ
２７、溝
２８、貫通穴
【図１】
2011094866.tif 000003
【図２】
2011094866.tif 000004
【図３】
2011094866.tif 000005
【図４】
2011094866.tif 000006
【図５】
2011094866.tif 000007
【図６】
2011094866.tif 000008
【図７】
2011094866.tif 000009